(57)【要約】【課題】物理的仕様が異なる記録媒体の利用に適したアダプタ装置および電子機器を提供する。【解決手段】サブフレーム１９のカード挿入口１９２から挿入される記録媒体を覆うカバー１１，１３を設ける。例えばカバー１３には、カバー１１，１３を記録媒体の方向に付勢して、カバー１１，１３を挿入された記録媒体に圧接させるカバー付勢部である板バネ１５Ｒ，１５Ｌを設ける。コネクタ変換部１８は、挿入された記録媒体が接続される内部コネクタ１８１と所定のコネクタと接続される外部コネクタ１８２を有しており、記録媒体の端子部と物理的仕様の異なる機器側のコネクタを接続可能とする。アダプタ装置に挿入された記録媒体にカバーが圧接されるので、例えば記録媒体で生じた熱を効率良くカバーに伝えることが可能となる。【選択図】        図５
2015022323.tif 000002
【特許請求の範囲】
【請求項１】
挿入された記録媒体を覆うカバーと、
前記カバーを前記記録媒体の方向に付勢して、前記カバーを前記記録媒体に圧接させるカバー付勢部と
前記記録媒体の端子部を物理的仕様の異なる機器側のコネクタに接続するためのコネクタ変換部と
を備えるアダプタ装置。
【請求項２】
前記カバーは、前記記録媒体の一方の面を覆う第１のカバーと前記一方の面と対向する前記記録媒体の他方の面を覆う第２のカバーを備え、
前記カバー付勢部は、前記第１のカバーと前記第２のカバーを、カバー間に挿入された前記記録媒体を挟持する方向に付勢する
請求項１記載のアダプタ装置。
【請求項３】
前記カバーの前記記録媒体挿入側端部に、カバー面を前記記録媒体側とは逆方向に突出させた挿入ガイドを設けた
請求項１記載のアダプタ装置。
【請求項４】
前記コネクタ変換部は、前記記録媒体の表裏面面に対して鉛直方向に移動可能に設けた
請求項１記載のアダプタ装置。
【請求項５】
前記カバーの前記記録媒体側の面に、シート状保護部材を設けた
請求項１記載のアダプタ装置。
【請求項６】
前記カバーは、前記記録媒体の一方の面を覆う第１のカバーと前記一方の面と対向する前記記録媒体の他方の面を覆う第２のカバーを備え、
前記カバー付勢部の設置位置では、前記記録媒体の挿入位置に対して前記第１のカバーと前記第２のカバーの位置の入れ替えを行い、
前記カバー付勢部は、前記第１のカバーと前記第２のカバーの間隔が広くなるように付勢することで、前記第１のカバーと前記第２のカバーを前記記録媒体の方向に付勢する
請求項１記載のアダプタ装置。
【請求項７】
前記付勢の方向に対して逆方向の前記カバーの移動を所定量に規制する規制部を設けた
請求項１記載のアダプタ装置。
【請求項８】
前記規制部は前記カバー付勢部に形成した
請求項７記載のアダプタ装置。
【請求項９】
当該アダプタ装置の側端から突出するように付勢された係止部を設けた
請求項１記載のアダプタ装置。
【請求項１０】
前記挿入させた記録媒体を抜脱する際の抜去力よりも、前記係止部の付勢力に抗して当該アダプタ装置を電子機器から抜脱する際の抜去力を大きくした
請求項１記載のアダプタ装置。
【請求項１１】
アダプタ部と前記アダプタ部で生じた熱を外部に放出するヒートシンクとを有し、
前記アダプタ部は、
挿入された記録媒体を覆うカバーと、
前記カバーを前記記録媒体の方向に付勢して、前記カバーを前記記録媒体に圧接させるカバー付勢部と、
前記記録媒体の端子部を物理的仕様の異なる機器側のコネクタに接続するためのコネクタ変換部とを備える電子機器。
【発明の詳細な説明】
【技術分野】
【０００１】
この技術は、物理的仕様が異なる記録媒体の利用に適したアダプタ装置および電子機器に関する。
【背景技術】
【０００２】
従来、電子機器では、カード状記録媒体例えばフラッシュメモリ等の半導体素子を用いたメディアカードを用いて各種データ等の記録再生が行われている。また、カード状記録媒体を電子機器で用いる場合、特許文献１では、開閉蓋による記録媒体出入口の開閉動作に連動してヒートシンクの移動が行われている。すなわち、開閉蓋の開放時にヒートシンクは記録媒体収納部から離れる方向に移動し、開閉蓋の閉鎖時にヒートシンクは記録媒体収納部に近づく方向に移動して記録収納部の記録媒体に圧接する。その結果、記録媒体で生じた熱をヒートシンクで外部に放出できる。また、記録媒体挿脱時、記録媒体がヒートシンクと擦れ合うことがないため記録媒体の損傷等を防止できる。
【先行技術文献】
【特許文献】
【０００３】
【特許文献１】特開２０１２−２０３４２３号公報
【発明の概要】
【発明が解決しようとする課題】
【０００４】
ところで、カード状記録媒体としては物理的仕様の異なる記録媒体が提供されており、電子機器の記録媒体収納部に挿入される記録媒体とは物理的仕様が異なる記録媒体を用いる場合、アダプタ装置が必要となる。
【０００５】
そこで、この技術では、物理的仕様が異なる記録媒体の利用に適したアダプタ装置および電子機器を提供することを目的とする。
【課題を解決するための手段】
【０００６】
この技術の第１の側面は、挿入された記録媒体を覆うカバーと、前記カバーを前記記録媒体の方向に付勢して、前記カバーを前記記録媒体に圧接させるカバー付勢部と前記記録媒体の端子部を物理的仕様の異なる機器側のコネクタに接続するためのコネクタ変換部とを備えるアダプタ装置にある。
【０００７】
この技術のアダプタ装置では、記録媒体を物理的仕様の異なる機器側のコネクタに接続可能とするコネクタ変換部が設けられている。また、アダプタ装置は、挿入されてコネクタ変換部に接続される記録媒体に対してカバーを圧接させる構造とされている。例えば、カバーは記録媒体の一方の面を覆う第１のカバーと一方の面と対向する記録媒体の他方の面を覆う第２のカバーを備え、第１のカバーと第２のカバーは、カバー付勢部によって、カバー間に挿入された記録媒体を挟持する方向に付勢される。カバーの記録媒体挿入側端部には、カバー面を記録媒体側とは逆方向に突出させた挿入ガイドが設けられており、カバーの記録媒体側の面にはシート状保護部材が設けられている。カバー付勢部の設置位置では、記録媒体の挿入位置に対して第１のカバーと第２のカバーの位置の入れ替えが行われており、カバー付勢部は、第１のカバーと第２のカバーの間隔が広くなるように付勢することで、第１のカバーと第２のカバーを記録媒体の方向に付勢する。また、カバー付勢部には、付勢の方向に対して逆方向のカバーの移動を所定量に規制する規制部が形成されている。コネクタ変換部は、記録媒体の表裏面面に対して鉛直方向に移動可能に設けられている。アダプタ装置の側端には、突出するように付勢された係止部が設けられており、挿入された記録媒体を抜脱する際の抜去力よりも、係止部の付勢力に抗してアダプタ装置を電子機器から抜脱する際の抜去力が大きくなるように設定されている。
【０００８】
この技術の第２の側面は、アダプタ部と前記アダプタ部で生じた熱を外部に放出するヒートシンクとを有し、前記アダプタ部は、挿入された記録媒体を覆うカバーと、前記カバーを前記記録媒体の方向に付勢して、前記カバーを前記記録媒体に圧接させるカバー付勢部と、前記記録媒体の端子部を物理的仕様の異なる機器側のコネクタに接続するためのコネクタ変換部とを備える電子機器にある。
【発明の効果】
【０００９】
この技術によれば、挿入された記録媒体を覆うカバーと、カバーを記録媒体の方向に付勢して、カバーを記録媒体に圧接させるカバー付勢部と記録媒体の端子部を物理的仕様の異なる機器側のコネクタに接続するためのコネクタ変換部がアダプタ装置に設けられる。したがって、例えばアダプタ装置に挿入された記録媒体で生じた熱を効率良くカバーに伝えることが可能となり、物理的仕様が異なる記録媒体の利用に適したアダプタ装置および電子機器を提供できるようになる。なお、本明細書に記載された効果はあくまで例示であって限定されるものではなく、また付加的な効果があってもよい。
【図面の簡単な説明】
【００１０】
【図１】アダプタ装置の正面側からの外観を例示した斜視図である。
【図２】アダプタ装置の背面側からの外観を例示した斜視図である。
【図３】アダプタ装置の正面図である。
【図４】アダプタ装置の背面図である。
【図５】アダプタ装置の分解斜視図である。
【図６】カバー付勢部を示す図である。
【図７】フレームと導電板を示す図である。
【図８】サブフレームとアダプタ保持部を示す図である。
【図９】カード状記録媒体の外観を例示した斜視図である。
【図１０】アダプタ装置におけるカバーおよび板バネの位置関係等を模式的に示し示した図である。
【図１１】アダプタ装置における記録媒体の装着状態を模式的に示した図である。
【図１２】規制部を設けた場合の動作を説明するための図である。
【図１３】カバーの他の構成を例示した図である。
【図１４】導電板の動作を説明するための図である。
【図１５】アダプタ保持部の動作を説明するための図である。
【図１６】業務用ビデオカメラの外観を例示した斜視図である。
【図１７】開閉蓋を閉じた状態の記録再生装置の外観を例示した斜視図である。
【図１８】開閉蓋を開いた状態の記録再生装置の外観を例示した斜視図である。
【図１９】記録再生装置の分解斜視図である。
【図２０】メディアホルダの外観を例示した斜視図である。
【図２１】メディアホルダの分解斜視図である。
【図２２】アダプタ装置に上下ヒートシンクを圧接させる前の状態を示す図である。
【図２３】アダプタ装置に上下ヒートシンクを圧接させた状態を示す図である。
【図２４】アダプタ装置を用いた他の記録再生装置の外観を例示した斜視図である。
【図２５】アダプタ装置と記録再生装置の記録媒体挿入部とコネクタを示した図である。
【図２６】アダプタ装置の挿脱動作を模式化して示した図である。
【発明を実施するための形態】
【００１１】
以下、本技術を実施するための形態について説明する。なお、説明は以下の順序で行う。
１．アダプタ装置の構成
２．アダプタ装置に対する記録媒体の挿脱動作
３．アダプタ装置の他の動作
４．アダプタ装置を用いた電子機器
５．アダプタ装置を用いた他の電子機器
【００１２】
＜１．アダプタ装置の構成＞
［１−１．アダプタ装置の外観例］
アダプタ装置は、挿入された記録媒体を覆うカバーと、カバーを記録媒体の方向に付勢して、カバーを記録媒体に圧接させるカバー付勢部、および記録媒体の端子部を物理的仕様の異なる機器側のコネクタに接続するためのコネクタ変換部を有している。
【００１３】
図１と図２は、アダプタ装置の外観を例示した斜視図である。なお、カード状記録媒体挿入側をアダプタ装置１０の正面とした場合、図１は正面側からの斜視図であり、図２は背面側からの斜視図である。図３はアダプタ装置１０の正面図を例示しており、図４はアダプタ装置１０の背面図を例示している。
【００１４】
アダプタ装置１０は、第１のカバー１１、第２のカバー１３、フレーム１６、コネクタ変換部１８、およびサブフレーム１９を組み合わせて筐体が構成されている。カバー１１とカバー１３等によって囲まれた空間（以下「カード収納部」という）内には、カード挿入口１９２から、カード状記録媒体が挿入可能とされている。なお、以下の説明では、カード状記録媒体としてメディアカードを用いた場合について説明する。
【００１５】
アダプタ装置１０のコネクタ変換部１８の内面側（カード収納部側）には、メディアカードの端子部と接続される内部コネクタ１８１が設けられている。コネクタ変換部１８の外面側（カード収納部側に対して反対面側）には、電子機器との接続に用いられる外部コネクタ１８２が設けられている。
【００１６】
筐体内部には、カード挿入口１９２から挿入されたメディアカードの端子部が内部コネクタ１８１に挿入されるようにメディアカードの位置決めを行うガイド部１６５Ｒ，１６５Ｌ，１８５Ｒ，１８５Ｌが設けられている。
【００１７】
第１のカバー１１と第２カバーの少なくとも一方は、カバー付勢部によって他方のカバー方向に付勢されて、カード収納部におけるカバー間の距離が、収納されるメディアカードの厚さよりも狭くなるようになされている。このカード収納部にメディアカードが挿入されると、メディアカードは、カバー１１とカバー１３によって挟持される。また、カバーは、カバー付勢部によって他方のカバーの方向に付勢されていることから、カバー１１および／またはカバー１３は、メディアカードに圧接された状態となる。
【００１８】
サブフレーム１９には、アダプタ保持部２０Ｒ，２０Ｌが設けられている。アダプタ保持部２０Ｒ，２０Ｌには、アダプタ装置が電子機器に挿入されたとき、挿入状態を保持できるように、アダプタ装置１０の側端から突出するように付勢された係止部である係止凸部２０２が可動体２０１に形成されている。
【００１９】
［１−２．アダプタ装置の内部構成例］
図５は、アダプタ装置の分解斜視図を例示している。また、図６はカバー付勢部、図７はフレームと導電板、図８はサブフレームとアダプタ保持部を詳細に示している。
【００２０】
カバー１１は、カード対向面１１１におけるカード挿入口側端部が押し出し加工されて、アダプタ装置１０の外方向に突出した挿入ガイド１１２が形成されている。したがって、メディアカードは、挿入ガイド１１２によってカバー１１の端面に当接することなく滑らかに挿入される。また、カバー１１は、側端側が曲げ加工されて、フレーム１６のカバー支持部１６３を包み込むようにフレームガイド１１３Ｌ，１１３Ｒが形成されている。カバー１１のカード対向面１１１には、シート状保護部材１２が取り付けられている。また、カバー１１は、熱伝導率の高い素材を用いて、例えばメディアカードで生じた熱を効率良く放熱できるようにする。
【００２１】
シート状保護部材１２は、メディアカードの挿脱時にカード表面に傷等を生じないようにメディアカードを保護する。例えばシート状保護部材１２としては、ポリエチレン等の素材で構成されたシートを用いることができる。また、シート状保護部材１２は、シート状保護部材１２を設けたことによるメディアカードとカバー１１との間の熱伝導率の低下を少なくするため、熱伝導率が高い素材を用いる。さらに、シート状保護部材１２は、メディアカードの保護だけでなく、メディアカードとカード対向面１１１との密着性を向上させるものでもよい。
【００２２】
シート状保護部材１２は、挿脱されるメディアカードを保護できるようにサイズが設定されている。シート状保護部材１２のカード挿入口側端部には、挿入ガイド１１２に対応させて曲げ加工された挿入ガイド保護部１２２が形成されている。
【００２３】
カバー１３は、カード対向面１３１にけるカード挿入口側端部が押し出し加工されて、アダプタ装置１０の外側方向に突出した挿入ガイド１３２が形成されている。したがって、メディアカードは、挿入ガイド１３２によってカバー１３の端面に当接することなく滑らかに挿入される。また、カバー１３は、側端側が階段状に曲げ加工されて、支持部１３４Ｒ，１３４Ｌが形成されている。支持部１３４Ｒ，１３４Ｌは、カード対向面１３１に対して鉛直方向の側板部１３３Ｒ，１３３Ｌおよびカード対向面１３１に対して平行方向でアダプタ装置１０の外側方向に延びた形状とされている。また、カバー１３は、熱伝導率の高い素材を用いて、例えばメディアカードで生じた熱を効率良く放熱できるようにする。
【００２４】
側板部１３３Ｒの支持部１３４Ｒ側には、カバー１３から離脱しないようにカバー付勢部を支持するための支持孔１３６がカード挿入方向に形成されている。支持孔１３６には、カバー付勢部として用いられる板バネ１５Ｒの係止片１５２が挿入されて、カバー１３に板バネ１５Ｒが固定される。また、側板部１３３Ｌの支持部１３４Ｌ側にも、カバー１３から離脱しないようにカバー付勢部を支持するための支持孔１３６がカード挿入方向に形成されている。側板部１３３Ｌの支持孔１３６には、カバー付勢部として用いられる板バネ１５Ｌの係止片１５２が挿入されて、カバー１３に板バネ１５Ｌが固定される。カバー１３のカード対向面１３１には、シート状保護部材１４が取り付けられている。
【００２５】
シート状保護部材１４は、シート状保護部材１２と同様に構成されている。すなわち、シート状保護部材１４は、メディアカードの挿脱時にカード表面に傷等を生じないようにメディアカードを保護する。また、シート状保護部材１４は、シート状保護部材１４を設けたことによるメディアカードとカバー１３との間の熱伝導率の低下を少なくするため、熱伝導率が高い素材を用いる。さらに、シート状保護部材１４は、メディアカードの保護だけでなく、メディアカードとカバー１３のカード対向面１３１との密着性を向上させるものでもよい。
【００２６】
シート状保護部材１４は、挿脱されるメディアカードを保護できるようにサイズが設定されている。シート状保護部材１４のカード挿入口側端部には、挿入ガイド１３２に対応させて曲げ加工された挿入ガイド保護部１４２が形成されている。
【００２７】
カバー付勢部は、カバーをメディアカードの方向に付勢して、カバーをメディアカードに圧接させる。図５および図６では、カバー付勢部を例えば板バネで構成して、板バネのバネ力によってカバー１１，１３をメディアカードに圧接する構成を例示している。
【００２８】
板バネ１５Ｒは、図６に示すように、載置部１５１、係止片１５２、係止爪１５３、アーム部１５４、規制部１５５が設けられている。なお、図６の（Ａ）は板バネの平面図、図６の（Ｂ）は板バネの側面図を例示している。
【００２９】
載置部１５１は、カバー１３の支持部１３４Ｒに載置される部分であり、例えば板バネ１５Ｒの中央部分が載置部１５１の領域とされている。
【００３０】
係止片１５２は、載置部１５１の側端からカバー１３の方向に突出した形状とされている。係止片１５２の幅は、カバー１３の支持孔１３６の長さに対応するように形成されており、支持孔１３６に係止片１５２を挿入することで、カバー１３に対して板バネ１５Ｒの位置が固定される。係止片１５２の中央部分には、載置部側を切り起こして係止爪１５３が形成されている。係止爪１５３の載置部側の端部と載置部１５１の端部との間隔は、カバー１３の側板部１３３Ｒの板厚と略等しくなるように形成されている。したがって、支持孔１３６に係止片１５２を挿入して、係止爪１５３と載置部１５１によってカバー１３の側板部１３３Ｒを挟持することで、カバー１３から板バネ１５Ｒが離脱することのないように、板バネ１５Ｒをカバー１３に取り付けることができる。
【００３１】
なお、図６では、載置部側を切り起こして係止爪１５３を形成する場合について例示したが、カバーからのカバー付勢部の離脱を防止する機構は、他の構成であってもよい。例えば係止片１５２の端部を載置部１５１の方向に折り曲げて係止爪を形成してもよい。また係止片１５２の側端を突出させてフック部を形成し、フック部を支持孔１３６に係止させて、カバー１３からの板バネ１５Ｒの離脱を防止する構成としてもよい。
【００３２】
板バネ１５Ｒのアーム部１５４は、板バネ１５Ｒの端部側の位置Ｐが載置部１５１に対して鉛直方向（矢印ＦＡ方向）に移動した位置となるように曲げ加工して形成されている。板バネ１５Ｒは、位置Ｐが例えば矢印ＦＡ方向とは逆方向に変位された場合、位置Ｐを移動前の位置に戻すようにバネ力を発生する。
【００３３】
規制部１５５は、板バネ１５Ｒの端部をアーム部１５４とは逆方向に曲げ加工して形成されている。規制部１５５は、板バネ１５Ｒの端部側の位置Ｐが矢印ＦＡ方向とは逆方向の変位されるとき、カバー１３の支持部１３４Ｒに当接して変位を規制する。
【００３４】
また、板バネ１５Ｌも板バネ１５Ｒと同様に構成して、離脱することのないように板バネ１５Ｌをカバー１３に取り付ける。また、板バネ１５Ｌは板バネ１５Ｒと同様に変位を規制する。
【００３５】
フレーム１６は、図７に示すように、ベース部１６１、カバー支持部１６３Ｒ，１６３Ｌ、ガイド部１６５Ｒ，１６５Ｌを有している。
【００３６】
ベース部１６１は、平板状の形状とされており、平板状の平面にコネクタ変換部１８の支持軸１８４が挿通される軸孔１６４が形成されている。
【００３７】
カバー支持部１６３Ｒは、ベース部１６１の一方の側端側に設けられており、カバー支持部１６３Ｌは、ベース部１６１の他方の側端側に設けられている。カバー支持部１６３Ｒ，１６３Ｌは、ベース部１６１の側端側からメディアカード抜脱方向に伸びたアーム状とされている。カバー支持部１６３Ｒの内面側にはガイド部１６５Ｒが形成されており、カバー支持部１６３Ｌの内面側にはガイド部１６５Ｌが形成されている。ガイド部１６５Ｒ，１６５Ｌは、ガイド部１６５Ｒとガイド部１６５Ｌの対向面の間隔がメディアカードの幅に合わせて設定されており、対向面にはメディアカードに対応したカード摺動面がカード挿脱方向に形成されている。
【００３８】
カバー支持部１６３Ｒはカバー１１のフレームガイド１１３Ｒ、カバー支持部１６３Ｌはカバー１１のフレームガイド１１３Ｌにそれぞれ挿入されて、フレーム１６にカバー１１が取り付けられる。
【００３９】
カバー支持部１６３Ｒとガイド部１６５Ｒ、およびカバー支持部１６３Ｌとガイド部１６５Ｌには、後述する導電板１７Ｒ，１７Ｌをカード挿入方向に嵌装するための導電板取付部１６３１が形成されている。導電板取付部１６３１には、導電板１７Ｒ，１７Ｌの接触子１７２が嵌装される切れ込み１６３２と、接触子１７４が嵌装される切れ込み１６３３が、メディアカード挿入側の端面から導電板１７Ｒ，１７Ｌの挿入方向に形成されている。
【００４０】
導電板１７Ｒ，１７Ｌは、Ｌ字状の一方の面（例えばカード対向面１１１，１３１に対して鉛直方向となる面）１７１に接触子１７２が形成されており、他方の面（例えばカード対向面１１１、１３１に対して平行となる面）１７３に接触子１７４が形成されている。接触子１７２は、例えば、面１７１の中央部分をメディアカードの挿脱方向に切り出して曲げ加工を行い、曲げ部分をカード収納部側に突出させて形成されている。接触子１７４は、例えば、面１７３の中央部分をメディアカードの挿脱方向に切り出して曲げ加工を行い、曲げ部分をカバー１１側に突出させて形成されている。
【００４１】
導電板１７Ｒは、カバー支持部１６３Ｒとガイド部１６５Ｒに形成された導電板取付部１６３１に挿入される。このとき、接触子１７２は切れ込み１６３２に挿入されて、接触子１７４は切れ込み１６３３に挿入される。導電板取付部１６３１に導電板１７Ｒが挿入されると、導電板１７Ｒの接触子１７２は、ガイド部１６５Ｒのメディアカード摺動面よりもカード収納部側に突出した状態となり、接触子１７４はガイド部１６５Ｒよりもカバー１１側に突出した状態となる。
【００４２】
導電板１７Ｌは、カバー支持部１６３Ｌとガイド部１６５Ｌに形成された導電板取付部１６３１に挿入される。このとき、接触子１７２は切れ込み１６３２に挿入されて、接触子１７４は切れ込み１６３３に挿入される。導電板取付部１６３１に導電板１７Ｌが挿入されると、導電板１７Ｌの接触子１７２は、ガイド部１６５Ｌのメディアカード摺動面よりもカード収納部側に突出した状態となり、接触子１７４はガイド部１６５Ｌよりもカバー１１側に突出した状態となる。
【００４３】
カバー支持部１６３Ｒとカバー支持部１６３Ｌの外側面には係止凹部１６６が形成されている。カバー支持部１６３Ｒの係止凹部１６６よりも先端側は、サブフレーム１９のサブフレーム係止部１９６Ｒを挿入するための空隙がカバー１１のフレームガイド１１３Ｒとフレーム１６のカバー支持部１６３Ｒとの間に生じるように構成されている。同様に、カバー支持部１６３Ｌの係止凹部１６６よりも先端側は、サブフレーム１９のサブフレーム係止部１９６Ｌを挿入するための空隙がカバー１１のフレームガイド１１３Ｌとフレーム１６のカバー支持部１６３Ｌとの間に生じるように構成されている。
【００４４】
カバー支持部１６３Ｒの係止凹部１６６には、フレームガイド１１３Ｒとカバー支持部１６３Ｒとの空隙に挿入されたサブフレーム係止部１９６Ｒのフック部１９６ｆが係止される。カバー支持部１６３Ｌの係止凹部１６６には、フレームガイド１１３Ｌとカバー支持部１６３Ｌとの空隙に挿入されたサブフレーム係止部１９６Ｌのフック部１９６ｆが係止される。
【００４５】
コネクタ変換部１８は、図５に示すように、ベース部１８０、内部コネクタ１８１、外部コネクタ１８２、支持軸１８４、ガイド部１８５Ｒ，１８５Ｌを有している。
【００４６】
ベース部１８０は、フレーム１６のベース部１６１と対向する平面がフレーム取付面とされている。ベース部１８０におけるカード収納部側の面には、メディアカードの端子部を接続するための内部コネクタ１８１が設けられており、逆側面にはアダプタ装置を電子機器と接続するための外部コネクタ１８２が設けられている。
【００４７】
ベース部１８０のフレーム取付面には、フレーム１６の軸孔１６４に挿通する支持軸１８４が形成されている。支持軸１８４は、フレーム１６の軸孔１６４に挿通されて、ベース部１８０が、メディアカード挿脱方向に対して直交する方向（メディアカードのカード表面に対して鉛直方向）に移動可能としてフレーム１６に取り付けられる。
【００４８】
ガイド部１８５Ｒはベース部１８０の一方の側端側に設けられており、ガイド部１８５Ｌは、ベース部１８０の他方の側端側に設けられている。ガイド部１８５Ｒ，１８５Ｌは、挿入されたメディアカードの端子部が、内部コネクタ１８１の位置となるようにメディアカードの位置を規制する。
【００４９】
サブフレーム１９は、図８に示すように、ベース部１９１、収納部１９３Ｒ，１９３Ｌ、サブフレーム係止部１９６Ｒ，１９６Ｌを有している。
【００５０】
ベース部１９１には、カード挿入口１９２が設けられている。ベース部１９１の一方の側端にはアダプタ保持部２０Ｒを収納するための収納部１９３Ｒ、他方の側端にはアダプタ保持部２０Ｌを収納するための収納部１９３Ｌが形成されている。
【００５１】
収納部１９３Ｒ，１９３Ｌは、バネ保持部１９４と可動体保持部１９５が形成されている。
【００５２】
バネ保持部１９４は、電子機器に挿入されたアダプタ装置１０が、電子機器から抜脱しないように抜脱方向の移動を規制するように、アダプタ保持部２０Ｒ，２０Ｌを付勢する付勢バネ、例えばコイルバネ２１Ｒ，２１Ｌを保持する。
【００５３】
可動体保持部１９５は、アダプタ保持部２０Ｒ，２０Ｌの本体部分である可動体２０１をメディアカードの幅方向に移動可能に保持する。具体的には、収納部１９３Ｒにアダプタ保持部２０Ｒが嵌め込まれて、可動体２０１に設けられた保持孔２０３に可動体保持部１９５が嵌合されることにより、サブフレーム１９から脱落することなく可動体２０１をメディアカードの幅方向に移動可能に保持する。同様に、収納部１９３Ｌにアダプタ保持部２０Ｌが嵌め込まれて、可動体２０１に設けられた保持孔２０３に可動体保持部１９５が嵌合されることにより、サブフレーム１９から脱落することなく可動体２０１をメディアカードの幅方向に移動可能に保持する。
【００５４】
サブフレーム係止部１９６Ｒは、ベース部１９１の一方の側端側に設けられており、サブフレーム係止部１９６Ｌは、ベース部１９１の他方の側端側に設けられている。サブフレーム係止部１９６Ｒ，１９６Ｌは、ベース部１９１の側端からカード挿入方向に延びた形状とされている。サブフレーム係止部１９６Ｒ，１９６Ｌの先端には、フック部１９６ｆが形成されている。サブフレーム係止部１９６Ｒは、フレーム１６のカバー支持部１６３Ｒとカバー１１のフレームガイド１１３Ｒとの空隙に挿入されて、フック部１９６ｆがカバー支持部１６３Ｒに設けられた係止凹部１６６に係止される。同様に、サブフレーム係止部１９６Ｌは、フレーム１６のカバー支持部１６３Ｌとカバー１１のフレームガイド１１３Ｌとの空隙に挿入されて、フック部１９６ｆがカバー支持部１６３Ｌに設けられた係止凹部１６６に係止される。このようにして、サブフレーム１９は、フレーム１６から外れないように取り付けられる。
【００５５】
アダプタ保持部２０Ｒ，２０Ｌは、可動体２０１に係止凸部２０２と保持孔２０３が設けられている。係止凸部２０２は、可動体２０１からメディアカードの幅方向に突出して形成されている。係止凸部２０２は、電子機器のコネクタにアダプタ装置１０が挿入された場合に、電子機器に設けられた係止部に係止して、アダプタ装置１０の抜脱方向の移動を規制する。
【００５６】
保持孔２０３は、サブフレーム１９の可動体保持部１９５と対向する位置に設けられており、メディアカードの幅方向が可動体保持部１９５よりも長く形成されている。保持孔２０３には可動体保持部１９５が嵌合されて、サブフレーム１９に対してアダプタ保持部２０Ｒ，２０Ｌがメディアカードの幅方向に移動可能に保持される。
【００５７】
コイルバネ２１Ｒは、サブフレーム１９のバネ保持部１９４に保持されて、アダプタ保持部２０Ｒの係止凸部２０２がサブフレーム１９の側面よりも外側に突出するように付勢する。同様に、コイルバネ２１Ｌは、サブフレーム１９のバネ保持部１９４に保持されて、アダプタ保持部２０Ｌの係止凸部２０２がサブフレーム１９の側面よりも外側に突出するように付勢する。
【００５８】
＜２．アダプタ装置に対する記録媒体の挿脱動作＞
図９は、アダプタ装置１０に装着されるカード状記録媒体、例えばメディアカードの外観を例示した斜視図である。
【００５９】
メディアカード４０は、例えば長方形で適度な厚みを有する筐体４０１と、この筐体４０１の内部に収納された図示しない半導体メモリおよびその制御装置等を備えて構成されている。筐体４０１は、互いに重ね合わされるカバー４０１ａとカバー４０１ｂとの組み合わせからなり、カバー４０１ａ，４０１ｂによって囲まれた空間部内に、半導体メモリや制御装置等が収納されている。筐体４０１における挿脱方向の一方の端部には、図示せずも他の電子機器と電気的に接続するための端子部４０２が設けられている。端子部４０２は、筐体４０１の内部において制御装置等と接続されており、制御装置や半導体メモリと外部装置との間に情報信号や制御信号等を伝達させる。筐体４０１の内部に収納された制御装置は、半導体メモリに情報信号を書き込みしたり、その半導体メモリに記録されている情報信号を読み出したりするもので、中央処理装置等を備えて構成されている。
【００６０】
筐体４０１のカバー４０１ａとカバー４０１ｂは、高い信頼性（耐熱性、耐衝撃性、挿脱耐久性等）を有する材料によって形成されている。特に、半導体メモリや制御装置は、その動作によって熱が発生するため、発生した熱を早期に外部へ放出できるように比較的熱を容易に伝達できる材料によって形成されている。
【００６１】
図１０はアダプタ装置におけるカバーおよび板バネの位置関係等を模式的に示している。また、図１１は、アダプタ装置における記録媒体の装着状態、例えばアダプタ装置におけるメディアカードの装着状態を模式的に示している。なお、図１１は図１０における位置Ｑ−Ｑを示している。
【００６２】
カバー１１とカバー１３は、板バネ１５Ｒ，１５Ｌによって、カバー１１とカバー１３との間隔がメディアカード４０のカード厚よりも狭くなるように付勢される。ここで、メディアカード４０がサブフレーム１９のカード挿入口１９２から挿入されると、挿入されたメディアカード４０によって、カバー１１および／またはカバー１３が板バネ１５Ｒ，１５Ｌによる付勢方向とは逆方向に移動される。
【００６３】
図１１の（Ａ）は、カード挿入前の状態を示している。図１１の（Ｂ）〜図１１の（Ｄ）はメディアカードの寸法公差が許容範囲の最大である場合を例示している。例えば図１１の（Ｂ）はメディアカード４０における一方の面（例えば上面）の寸法公差が許容範囲の最大である場合を例示している。このようにメディアカード４０の上面の寸法公差が大きくても、板バネのバネ力に抗してカバー１３が移動することから、カバー１１，１３はメディアカード４０に圧接した状態となる。また、図１１の（Ｃ）はメディアカード４０における他方の面（例えば下面）の寸法公差が許容範囲の最大である場合を例示している。このようにメディアカード４０の下面の寸法公差が大きくても、板バネのバネ力に抗してカバー１１が移動することから、カバー１１，１３はメディアカード４０に圧接した状態となる。図１１の（Ｄ）はメディアカード４０の両面の寸法公差が許容範囲の最大である場合を例示している。このようにメディアカード４０の上面と下面の寸法公差が大きくてもなっても、板バネのバネ力に抗してカバー１１，１３が移動することから、カバー１１，１３はメディアカード４０に圧接した状態となる。
【００６４】
このように、板バネ１５Ｒ，１５Ｌによって、カバー１１とカバー１３との間隔が狭くなるように付勢されるので、メディアカード４０の厚みにバラツキを生じても、メディアカード４０にカバー１１とカバー１３を圧接させることができる。したがって、メディアカード４０とアダプタ装置１０との間の熱伝導率を高くすることが可能となり、メディアカード４０で生じた熱を広い面積で放熱できる。
【００６５】
また、上述のように、カバー支持部１６３Ｒは、カバー１１のフレームガイド１１３Ｒ、カバー支持部１６３Ｌはカバー１１のフレームガイド１１３Ｌにそれぞれ挿入されて、フレーム１６にカバー１１が取り付けられる。したがって、図１１の（Ｃ）および図１１の（Ｄ）に示すように、メディアカード４０の例えば下面の寸法公差が許容範囲の最大となると、メディアカード４０の位置を基準とした場合に、カバー１１の位置が下側に移動する。また、カバー１１は、フレーム１６に固定されており、カバー１１と共にフレーム１６の位置が下側に移動する。しかし、コネクタ変換部１８は、上述のようにメディアカード挿脱方向に対して直交する方向（メディアカードのカード表面に対して鉛直方向）に移動可能としてフレーム１６に取り付けらている。このため、メディアカード４０の下面の寸法公差が大きく、メディアカード４０に対してカバー１１とフレーム１６の位置が下側に移動しても、内部コネクタ１８１の位置は、フレーム１６に対して上側に移動して、挿入されたメディアカード４０の端子部４０２に対応する位置となる。したがって、メディアカード４０の両面の寸法公差に係らず、カバー１１，１３をメディアカード４０に圧接できる。
【００６６】
また、図１２に示すように、板バネに規制部を設けて、カバーの移動を規制する。例えば、図１２の（Ａ）に示すように、板バネ１５Ｒの端部を曲げて規制部１５５を設ける。ここで、カバー間隔を広げる方向にカバー１１および／またはカバー１３が移動すると、図１２の（Ｂ）に示すように、板バネ１５Ｒの規制部１５５は、カバー１３の支持部１３４Ｒの方向に移動する。また、図１２の（Ｃ）に示すように、規制部１５５がカバー１３の支持部１３４Ｒに当接すると、カバーの移動は規制される。このため、板バネ１５Ｒのアーム部１５４に対して、所定角度以上で付勢方向とは逆方向の力が加えられることを防止することができる。したがって、カバーの過大な移動による板バネの塑性変形によってカバーに対する付勢力の低下等を生じてしまうことを防止できる。
【００６７】
ところで、上述の実施の形態では、図１３の（Ａ）に示すように、カバー１１の側端部をコの字状曲げ加工して設けられているフレームガイド１１３Ｒ，１１３Ｌと、カバー１３の支持部１３４Ｒ，１３４Ｌとの間に板バネ１５Ｒ，１５Ｌを設ける構成を例示した。しかし、カバー１１，１３の形状および板バネ１５Ｒ，１５Ｌの位置等は上述の実施の形態に限られない。例えば図１３の（Ｂ）に示すように、カバー１１の側端部を階段状として支持部１１６Ｒ，１１６Ｌを設け、支持部１１６Ｒ，１１６Ｌと支持部１３４Ｒ，１３４Ｌとの間に板バネ１５Ｒ，１５Ｌを設けるようにしてもよい。また、フレーム１６やコネクタ変換部１８とカバー１１との間や、フレーム１６やコネクタ変換部１８とカバー１３との間にカバー付勢部を設けて、カバー１１とカバー１３との間隔がメディアカードの厚さよりも狭くなるように付勢する構成であってもよい。
【００６８】
なお、上述の実施の形態では、カバー付勢部として板バネ１５Ｒ，１５Ｌを用いて、カバー１１とカバー１３をメディアカードに圧接する構成について例示したが、カバー付勢部は、コイルバネやトーションバネ等を用いてもよい。また、バネに限らず弾性体等を用いるようにしてもよい。さらに、図１３に示すように、カバー付勢部の設置位置では、メディアカードの挿入位置に対してカバー１１とカバー１３を入れ替えた構成としている。したがって、カバー１１とカバー１３の何れか一方にカバー付勢部を固定して、カバー１１とカバー１３の間隔が広くなるように付勢力を生じさせれば、メディアカードを挟持する方向にカバー１１とカバー１３を付勢することができる。したがって、カバー付勢部の取付等を容易に行うことができる。なお、アダプタ装置では、メディアカードの挿入位置に対してカバー１１とカバー１３をカバー付勢部の設置位置で入れ替えていない構成であってもよい。この場合、カバー付勢部をカバー１１とカバー１３のそれぞれに固定して、カバー１１とカバー１３の間隔が狭くなるように付勢力を生じさせれば、メディアカードを挟持する方向にカバー１１とカバー１３を付勢することができる。
【００６９】
さらに、規制部はカバー付勢部に設ける場合に限らず、カバーに設けるようにしてもよい。例えばカバーの側端を他方のカバー方向に曲げ加工して、カバーの移動が大きくなるときに曲げ部分の端部を他方のカバーに当接させることで、カバーの移動を規制するようにしてもよい。
【００７０】
＜３．アダプタ装置の他の動作＞
アダプタ装置１０に挿入されるメディアカードのカバーは、導電性を有する素材例えば金属板で構成されている。
【００７１】
また、図７に示した導電板１７Ｒの接触子１７２は、ガイド部１６５Ｒのメディアカード摺動面よりもカード格納部側に突出されている。したがって、メディアカード４０がアダプタ装置１０に挿入されると、図１４に示すように導電板１７Ｒの接触子１７２がメディアカード４０と接触した状態となり、導電板１７Ｒとメディアカード４０のカバーは電気的に接続された状態となる。また、導電板１７Ｒの接触子１７４は、ガイド部１６５Ｒ，１６５Ｌよりカバー１１側に突出されている。したがって、フレーム１６に導電板１７Ｒを取り付けたのちカバー１１を取り付けると、図１４に示すように、接触子１７４は、カバー１１に接触した状態となり、導電板１７Ｒとカバー１１は電気的に接続された状態となる。なお、導電板１７Ｌも同様に構成する。
【００７２】
このように、メディアカード４０がアダプタ装置１０に挿入されると、メディアカード４０のカバーが、導電板１７Ｒ，１７Ｌを介してアダプタ装置１０のカバー１１と電気的に接続される。したがって、例えばアダプタ装置１０のカバー１１を接地すればメディアカード４０からの不要輻射やメディアカード４０への静電気の影響を低減させることが可能となる。
【００７３】
また、アダプタ装置１０には、アダプタ保持部２０Ｒ，２０Ｌが設けられている。図１５は、アダプタ保持部２０Ｒの動作を説明するための図である。アダプタ保持部２０Ｒの係止凸部２０２は、図１５の（Ａ）に示すように、コイルバネ２１Ｒによってサブフレーム１９の側面よりも外側方向に突出するように付勢されている。また、電子機器におけるアダプタ装置の挿入口には、係止部３１が設けられている。したがって、アダプタ装置１０の挿入時において、図１５の（Ｂ）に示すように、係止凸部２０２は、電子機器の係止部３１が当接して、アダプタ装置１０が挿入方向（矢印ＦＵ方向）に移動するに伴い、可動体２０１は内側方向（矢印ＦＶ方向）に移動される。その後、アダプタ装置１０が電子機器の所定位置まで挿入されると、図１５の（Ｃ）に示すように、係止凸部２０２は、係止部３１の位置を通過して、サブフレーム１９の側面よりも外側方向に突出した位置に戻り係止凸部２０２が係止部に係止した状態となる。
【００７４】
また、図１５の（Ｃ）に示す状態でアダプタ装置１０に抜去力（矢印ＦＵとは逆方向の力）を加えると、係止凸部２０２と係止部３１によって可動体２０１はコイルバネ２１Ｒのバネ力に抗して内側方向に移動する。したがって、係止凸部２０２が係止部３１に係止されている状態を解除できる。また、アダプタ保持部２０Ｌもアダプタ保持部２０Ｒと同様な動作を行う。
【００７５】
したがって、アダプタ保持部２０Ｒ，２０Ｌによって、電子機器からアダプタ装置１０が抜脱してしまうことを防止できる。また、アダプタ装置１０を電子機器から取り出す場合の抜去力を大きくすることで、係止状態を解除することが可能となり、電子機器からアダプタ装置１０を取り出すことができる。さらに、電子機器からアダプタ装置１０を取り出す場合の抜去力を、アダプタ装置１０からメディアカード４０を取り出す場合の抜去力よりも大きく設定する。このようにすれば、電子機器にアダプタ装置１０が挿入されている状態で、アダプタ装置１０からメディアカード４０のみを取り出すことが可能となり、メディアカードの交換等を容易に行えるようになる。
【００７６】
＜４．アダプタ装置を用いた電子機器＞
図１６は、アダプタ装置を用いた電子機器例えば業務用ビデオカメラの外観を例示している。
【００７７】
ビデオカメラ５０は、カメラ本体部５０１の前面にレンズ部５０２等が着脱可能に取り付けられており、カメラ本体部５０１の背面にアダプタ装置が用いられる記録再生装置６０が着脱可能に取り付けられている。
【００７８】
カメラ本体部５０１は、撮像画信号を生成する撮像部、生成された撮像画信号に対して種々のカメラ信号処理等を行う信号処理部、撮像動作や信号記録再生動作等の制御を行う制御部等で構成されている。レンズ部５０２は、所望の被写体光学像を撮像部の撮像面上に結像させる。記録再生装置６０は、記録媒体を用いて情報信号すなわち撮像画の画像信号等の記録再生を行う。
【００７９】
図１７乃至図２３は、記録再生装置の実施の形態の一例を示している。記録再生装置６０は、メディアカードまたは記録再生装置６０で用いられるメディアカードとは物理的仕様の異なるメディアカードを使用可能とするアダプタ装置を用いて情報信号の記録と再生を行う。なお、電子機器には、記録再生装置に限らず情報信号の記録のみを行う記録装置、または情報信号の再生のみを行う再生装置を設けてもよい。
【００８０】
記録再生装置６０は、外装ケース６２と、この外装ケース６２内に収納されたメディアホルダ６３と図示していない記録再生装置本体等を備えて構成されている。外装ケース６２は、上部カバー６５と、下部カバー６６と、左側面パネル６７と、右側面パネル６８と、背面パネル６９と、開閉蓋６１０とを備えて構成されている。なお、外装ケース６２としては、このような構成のものに限定されるものではない。
【００８１】
上部カバー６５は、メディアホルダ６３の上方を覆う上面部６５ａと、上面部６５ａの前部に上面部６５ａから垂れ下がるように連続する前面部６５ｂと、前面部６５ｂの下部に上面部６５ａから垂れ下がるように連続する張出し部６５ｃと、上面部６５ａの後部に連続する背面部６５ｄとを有している。上面部６５ａは、メディアホルダ６３の上面全体を覆うことができる略四角形をなす天井のような部分からなる。前面部６５ｂの下端には、前方へ突出するように張出し部６５ｃが設けられている。
【００８２】
上部カバー６５の前面部６５ｂの略中央部には、メディアカードやアダプタ装置が挿入される挿入口６１２が設けられている。以下、アダプタ装置が挿入されるとして説明を行う。
【００８３】
前面部６５ｂの挿入口６１２の一側には、メディアホルダ６３のイジェクトロッド６７５の先端が突出されるロッド用開口穴６１３が設けられている。前面部６５ｂから上面部６５ａにわたる部分には、メディアホルダ６３の左右のリッドアーム６３１，６３２の先端が突出される一対のアーム用開口穴６１４が設けられている。一対のアーム用開口穴６１４は、挿入口６１２の長手方向の両端よりも外側に配置されている。
【００８４】
上部カバー６５の前面部６５ｂの下部には、通気口６１５が設けられている。上部カバー６５の張出し部６５ｃの先端には切欠き部６１８が設けられて、開閉蓋６１０の先端部が係合される。
【００８５】
下部カバー６６は、上部カバー６５の下面を覆うもので、上部カバー６５の平面形状に見合う形状および大きさを有している。下部カバー６６は、略四角形をなす下面部６６ａと、下面部６ａの四辺を囲うように形成された側面部６６ｂを有している。下部カバー６の下面部６６ａに、メディアホルダ６３が、そのメディア収納部６４７の空間を広狭変更可能に取り付けられている。そして、下面部６６ａにメディアホルダ６３を収納した状態において、下部カバー６６の上方に上部カバー６５が重ね合わされて複数の固定ねじ等によって着脱可能に固定されている。
【００８６】
左側面パネル６７は、上下に重ね合わされた上部カバー６５と下部カバー６６の左側面に形成された開口部を閉じるもので、板状の部材として形成されている。左側面パネル６７は、上部カバー６５と下部カバー６６に着脱可能に固定されている。右側面パネル６８は、上下に重ね合わされた上部カバー６５と下部カバー６６の右側面に形成された開口部を閉じるもので、板状の部材として形成されている。右側面パネル６８は、上部カバー６５と下部カバー６６に着脱可能に固定されている。右側面パネル６８の内面には、外部装置と電気的に接続するためのコネクタユニット６２１が取り付けられている。
【００８７】
上部カバー６５の背面部６５ｄと下部カバー６６の背面側の側面部６６ｂには、背面パネル６９が係合される開口部６２２が設けられている。背面パネル６９は、開口部６２２に嵌め合わされた状態で上部カバー６５と下部カバー６６に着脱可能に固定されている。図１９に示すように、背面パネル６９には複数の開口溝を有する通風口６２３が設けられている。通風口６２３は、背面パネル６９の略中央部に設けられており、この通風口６２３の内側に冷却ファンの一具体例を示す排気ファン６２４が取り付けられている。
【００８８】
開閉蓋６１０は、上部カバー６５の張出し部６５ｃの上方を覆う上面部６１０ａと、上面部６１０ａの前端に連続する前面部６１０ｂと、上面部６１０ａおよび前面部６１０ｂの左右に連続する側面部６１０ｃ，６１０ｄとを有している。上面部６１０ａは、上部カバー６５の張出し部６５ｃから上面部６５ａの前部に至る部分を覆うことができる大きさを有している。上面部６１０ａの前後方向の中間部であって左右方向の両側部には、左右リッドアーム６３１，６３２の先端部を固定するねじの挿通孔６３４，６３４が設けられている。
【００８９】
開閉蓋６１０の前面部６１０ｂは、上面部６１０ａの前端から下方へ立ち下がるように形成されており、その下部には、張出し部６５ｃの切欠き部６１８に係合される突出部６３５が設けられている。
【００９０】
開閉蓋６１０の左右側面部６１０ｃ，６１０ｄは、上部カバー６５の左右側面の形状に対応する形状を有している。すなわち、左右側面部６１０ｃ，６１０ｄは、前側に設けた側面壁６３８ａと、側面壁６３８ａの上部に連続して後側に延在された上部縁６３８ｂとからなっている。側面壁６３８ａの下面から背面を経て上部縁６３８ｂの下面に連続する部分は、上部カバー６５の張出し部６５ｃの側部から前面部６５ｂの側部を経て上面部６５ａの前部に至るまでの部分の形状に見合う形状を有している。
【００９１】
左右側面部６１０ｃ，６１０ｄの各側面壁６３８ａには、外部の空気を外装ケース６２内に取り込むための吸気口６４１が設けられている。吸気口６４１の内側の縁部は、張出し部６５ｃの外縁とオーバーラップするように形成されている。
【００９２】
図２０，２１に示すように、メディアホルダ６３は、ガイドレール６２５とスライダ６２６と上部ベースプレート６２７と上部ヒートシンク６２８と下部ベースプレート６２９と下部ヒートシンク６３０と左リッドアーム６３２と右リッドアーム６３１とイジェクトリンクユニット６３３等を備えている。
【００９３】
ガイドレール６２５は、左右方向（アダプタ装置の幅方向）に所定の間隔をあけて対向設置された一対のレール部材６４４ａ，６４４ｂと、レール部材６４４ａ，６４４ｂの背面側に配置されたコネクタ６４５を有している。コネクタ６４５は、例えばコネクタ用の配線基板６４６の一面に実装されており、その配線基板６４６に一対のレール部材６４４ａ，６４４ｂの各端部が固定されている。
【００９４】
レール部材６４４ａ，６４４ｂは、断面形状がコ字状に形成されており、レール部材６４４ａ，６４４ｂの内側にメディア収納部６４７が形成されている。メディア収納部６４７のコネクタ６４５と反対側が、アダプタ装置が出し入れされる挿入口６４８であり、その挿入口６４８から挿入されたアダプタ装置がレール部材６４４ａ，６４４ｂの凹部にガイドされてメディア収納部６４７を出し入れされる。アダプタ装置をメディア収納部６４７の最深部まで差し込むことにより、アダプタ装置の外部コネクタ１８２は記録再生装置６０のコネクタ６４５と電気的および機械的に接続される。
【００９５】
レール部材６４４ａ，６４４ｂの外側にはスライダ６２６が配置されている。スライダ６２６は、イジェクト操作時に挿入口６４８側にスライドしてアダプタ装置１０を所定距離だけ排出させるものである。スライダ６２６は、所定の間隔をあけて対向するように設置された一対の枠片６２６ａと、両枠片６２６ａ間を連結する連結片６２６ｂを有している。連結片６２６ｂには、メディア収納部６４７側に突出する押圧片６４９が設けられており、この押圧片６４９により押圧されてアダプタ装置１０が所定位置まで押し出される。このスライダ６２６を所定量移動させるために、一対の枠片６２６ａには移動範囲設定部６５１が設けられている。
【００９６】
ガイドレール６２５の一対のレール部材６４４ａには、スライダ６２６の移動量を規制する規制片６５２ａ，６５２ｂが前後にそれぞれ設けられている。規制片６５２ａ，６５２ｂの間には、スライダ６２６の移動範囲設定部６５１が介在されている。これにより、規制片６５２ａ，６５２ｂ間において移動範囲設定部６５１との間に設定された隙間の分だけスライダ６２６がガイドレール６２５に対して相対的に移動可能に構成されている。
【００９７】
上部ベースプレート６２７は、メディア収納部６４７の一面（本実施例では上面）に配置されるもので、メディア収納部６４７の上面の全体を覆うことができる板状の部材によって形成されている。上部ベースプレート６２７の上面には、上部ヒートシンク６２８が搭載される。上部ヒートシンク６２８は、コイルバネ６５３が装着された複数の固定ねじ６５４による締付力により付勢されて上部ベースプレート６２７に対して弾性的に支持されている。上部ベースプレート６２７には、その表裏面間を貫通する長方形の開口穴６５５が設けられており、その開口穴６５５に上部ヒートシンク６２８の受熱部６５６が所定の隙間をあけて嵌合されている。
【００９８】
上部ヒートシンク６２８の受熱部６５６は、上部ベースプレート６２７の面より外側へ突出するように形成されている。これにより、上部ヒートシンク６２８をアダプタ装置１０の一面に押圧したときに、上部ベースプレート６２７の面がアダプタ装置１０の面に接触することなく、受熱部６５６の表面のみがアダプタ装置１０の面に接触するように構成されている。上部ヒートシンク６２８の受熱部６５６と反対側には、アダプタ装置１０の出し入れ方向に延在された複数の放熱用フィン６５７が設けられている。さらに、上部ヒートシンク６２８の前側部分には、アダプタ装置１０の出し入れ方向と直交する方向に延在された一対のカムピン６５８が設けられている。
【００９９】
上部ベースプレート６２７の前側部分には、アダプタ装置１０の出し入れ方向と直交する水平方向に延在された一対の枢軸６６０が設けられている。一対の枢軸６６０は、上部ベースプレート６２７の側面部を立上げることによって形成した一対の立上げ片６２７ａに立設されている。この一対の立上げ片６２７ａに設けた各枢軸６６０に、左右のリッドアーム６３１，６３２がそれぞれ個別に回動可能に支持されている。左右のリッドアーム６３１，６３２は、開閉蓋６１０の開閉動作とメディアホルダ６３の開閉動作を連動させるもので、上部ベースプレート６２７の両側部であって左右対称をなす位置に配置されている。
【０１００】
左リッドアーム６３２と右リッドアーム６３１は略同様の形状を有しており、扇形に形成された扇形部６６１ａと、扇形部６６１ａの扇の要部に形成された軸受部６６１ｂと、扇形部６６１ａの先端側の一側に連続して形成された連結支持部６６１ｃを有している。軸受部６６１ｂは、先端部を折り曲げて互いに平行をなす２面を設けることによって形成されている。この軸受部６６１ｂを枢軸６６０で支持することにより左右のリッドアーム６３１，６３２が上部ベースプレート６２７にそれぞれ回動可能に取り付けられている。左リッドアーム６３２と右リッドアーム６３１の違いは、軸受部６６１ｂの先端部の突出側が逆方向となっている点であり、次に述べる形状等を含めて、その他の構成は同様である。
【０１０１】
左右のリッドアーム６３１，６３２の連結支持部６６１ｃは、先端部を９０度折り曲げることによって形成されている。この連結支持部６６１ｃは、開閉蓋６１０の内面に当接され、その当接部を固定ねじでねじ止めすることにより開閉蓋６１０が左右のリッドアーム６３１，６３２に固定されている。各リッドアーム６３１，６３２の扇形部６６１ａはカムプレートの一具体例を示している。リッドアーム６３１，６３２の各扇形部６６１ａには、枢軸６６０を中心とすると共に曲率半径を異にして周方向に延在された第１のカム溝６６２と第２のカム溝６６３が設けられている。
【０１０２】
左右のリッドアーム６３１，６３２の第１のカム溝６６２は上部ヒートシンク６２８を回動させるもので、第１のカム溝６６２には上部ヒートシンク６２８に設けた一対のカムピン６５８がそれぞれ摺動可能に係合される。左右のリッドアーム６３１，６３２の第２のカム溝６６３は下部ヒートシンク６３０を回動させるもので、第２のカム溝６６３には下部ヒートシンク６３０に設けた一対のカムピン６７１がそれぞれ摺動可能に係合される。
【０１０３】
下部ベースプレート６２９は、メディア収納部６４７の他面（本実施例では下面）に配置されるもので、メディア収納部６４７の下面の全体を覆うことができる板状の部材によって形成されている。この下部ベースプレート６２９の下面に下部ヒートシンク６３０が搭載されている。下部ヒートシンク６３０は、コイルバネ６６５が装着された複数の固定ねじ６６６による締付力により付勢されて下部ベースプレート６２９に対して弾性的に支持されている。下部ベースプレート６２９には、その表裏面間を貫通する長方形の開口穴６６７が設けられており、その開口穴６６７に下部ヒートシンク６３０の受熱部６６８が所定の隙間をあけて嵌合されている。
【０１０４】
下部ヒートシンク６３０の受熱部６６８は、下部ベースプレート６２９の面より外側へ突出するように形成されている。これにより、下部ヒートシンク６３０をアダプタ装置１０の他面に押圧したときに、下部ベースプレート６２９の面がアダプタ装置１０の面に接触することなく、受熱部６６８の表面のみがアダプタ装置１０の面に接触するように構成している。下部ヒートシンク６３０の受熱部６６８と反対側には、アダプタ装置１０の出し入れ方向に延在された放熱用フィン６６９が設けられている。さらに、下部ヒートシンク６３０の前側部分には、アダプタ装置１０の出し入れ方向と直交する方向に延在された一対のカムピン６７１が設けられている。この一対のカムピン６７１が、左右のリッドアーム６３１，６３２に設けた第２のカム溝６６３にそれぞれ摺動可能に係合されている。
【０１０５】
図２２，２３に示すように、第１のカム溝６６２は、周方向に延在された円弧状の長穴として形成されており、枢軸６６０の中心から長穴中心までの長さ（曲率半径）Ｒｉは、周方向に沿って連続的に変化している。すなわち、第１のカム溝６６２における連結支持部６６１ｃ側の端部の曲率半径Ｒi1は、その反対側の端部の曲率半径Ｒi2よりも少し大きく（Ｒi1＞Ｒi2）設定されている。そのため、左右のリッドアーム６３１，６３２が回動すると、第１のカム溝６６２と第２のカム溝６６３との中間位置から第１のカム溝６６２までの長さが変化するため、その回動量に応じて上部ヒートシンク６２８がアダプタ装置１０に対して接近・離反される。この第１のカム溝６６２の曲率半径の変化（差＝Ｒi1−Ｒi2）により、上部ヒートシンク６２８に姿勢変化を生じさせて、挿入口６４８側をその反対側よりも大きく移動させることができる。
【０１０６】
第２のカム溝６６３は、周方向に延在された円弧状の長穴として形成されているが、枢軸６６０の中心から長穴中心までの長さ（曲率半径）は、同じく周方向に沿って連続的に変化している。すなわち、第２のカム溝６６３における連結支持部６６１ｃ側の端部の曲率半径Ｒo1は、その反対側の端部の曲率半径Ｒo2よりも少し小さく（Ｒo1＜Ｒo2）設定されている。そのため、左右のリッドアーム６３１，６３２が回動すると、第１のカム溝６６２と第２のカム溝６６３との中間位置から第２のカム溝６６３までの長さが変化するため、その回動量に応じて下部ヒートシンク６３０がアダプタ装置１０に対して接近・離反される。この第２のカム溝６６３の曲率半径の変化（差＝Ｒo2−Ｒo1）により、下部ヒートシンク６３０に姿勢変化を生じさせて、挿入口６４８側をその反対側よりも大きく移動させることができる。
【０１０７】
上部ベースプレート６２７と下部ベースプレート６２９は、挿入口６４８と反対側の端部において、回動軸６７２によって互いに回動可能に連結されている。すなわち、上部ベースプレート６２７の左右両側部には、下部ヒートシンク６３０側に突出する立上げ片６２７ａがそれぞれ設けられている。また、下部ベースプレート６２９の挿入口６４８と反対側の左右両側部には、上部ヒートシンク６２８側に折り曲げ形成された軸受片６２９ａがそれぞれ設けられている。上部ベースプレート６２７および下部ベースプレート６２９の両側部において、立上げ片６２７ａの先端部と軸受片６２９ａの先端部は互いに重なり合うように形成されており、それぞれの重合部に回動軸６７２が貫通されている。この一対の回動軸６７２を介して、上部ベースプレート６２７と下部ベースプレート６２９が回動可能に連結されている。
【０１０８】
イジェクトリンクユニット６３３は、メディア収納部６４７に収納されているアダプタ装置１０を排出させるものである。図２１に示すように、イジェクトリンクユニット６３３は、イジェクトロッド６７５と、ユニットホルダ６７６と、連結リンク６７７と、回動リンク６７８と、リターンバネ（図示せず）等を備えて構成されている。イジェクトロッド６７５は、ユニットホルダ６７６によって軸方向へスライド可能に支持されており、イジェクトロッド６７５の軸方向の後端に連結リンク６７７の先端が回動可能に連結されている。回動リンク６７８は、ガイドレール６２５に立設された支持軸６８１に回動可能に支持されている。支持軸６８１は、回動リンク６７８の長手方向の中間部を貫通しており、その長手方向の一側に連結リンク６７７の後端が回動可能に連結されている。
【０１０９】
このように構成された記録再生装置６０は、開閉蓋６１０の開閉動作に連動して上部ヒートシンク６２８および下部ヒートシンク６３０の姿勢が変化する。
【０１１０】
開閉蓋６１０の閉鎖時、左右のリッドアーム６３１，６３２の第１のカム溝６６２は、上部ヒートシンク６２８に設けたカムピン６５８をガイドして上部ヒートシンク６２８をメディア収納部６４７に近づく方向（下方）へ回動させる。そして、固定ねじ６５４に装着されているコイルバネ６５３のバネ力により、メディア収納部６４７に収納されているアダプタ装置１０の上面に上部ヒートシンク６２８の受熱部６５６が圧接される。また、左右のリッドアーム６３１，６３２の第２のカム溝６６３は、下部ヒートシンク６３０に設けたカムピン６７１をガイドして下部ヒートシンク６３０をメディア収納部６４７に近づく方向（上方）へ回動させる。そして、固定ねじ６６６に装着されているコイルバネ６６５のバネ力により、メディア収納部６４７に収納されているアダプタ装置１０の下面に下部ヒートシンク６３０の受熱部６６８が圧接される。
【０１１１】
一方、開閉蓋６１０の開放時、第１のカム溝６６２は、コイルバネ６５３のバネ力に抗してカムピン６５８をガイドし、上部ヒートシンク６２８をメディア収納部６４７から離れる方向（上方）へ回動させる。これにより、上部ヒートシンク６２８の受熱部６５６がアダプタ装置１０の上面から離反され、受熱部６５６とアダプタ装置１０との間に隙間が形成される。また、第２のカム溝６６３は、コイルバネ６６５のバネ力に抗してカムピン６７１をガイドし、下部ヒートシンク６３０をメディア収納部６４７から離れる方向（下方）へ回動させる。これにより、下部ヒートシンク６３０の受熱部６６８がアダプタ装置１０の下面から離反され、受熱部６６８とアダプタ装置１０との間に隙間が形成される。
【０１１２】
したがって、開閉蓋６１０の開放時には、リッドアーム６３１，６３２が回動して、メディア収納部６４７において、挿入口側が大きく開口され、その反対の回動軸６７２側が小さく開口される。そのため、上部ヒートシンク６２８の受熱部６５６が上方に押し広げられ、下部ヒートシンク６３０の受熱部６６８が下方に押し広げられる。そこで、挿入口からメディア収納部６４７内にアダプタ装置１０を挿入することにより、上下の受熱部６５６，６６８に摺動接触することなくアダプタ装置１０をメディア収納部６４７に挿入することができる。しかも、メディア収納部６４７の挿入口６１２側が回動軸６７２側よりも大きく開口されるため、アダプタ装置１０の上面が上部ヒートシンク６２８の受熱部６５６に擦れたり、下面が下部ヒートシンク６３０の受熱部６６８に擦れたりするおそれがない。したがって、アダプタ装置１０の面が受熱部６５６，６６８と摺動接触することによるアダプタ装置１０の損傷を防ぐことができる。
【０１１３】
また、開閉蓋６１０の閉鎖時には、左右のリッドアーム６３１，６３２が回動して、上部ヒートシンク６２８と一体のカムピン６５８は、第１のカム溝６６２にガイドされて押し下げられ、受熱部６５６がアダプタ装置１０の上面に押し付けられる。このとき、上部ヒートシンク６２８がコイルバネ６５３によってメディア収納部６４７側に付勢されているため、そのコイルバネ６５３のバネ力によって受熱部６５６の表面がアダプタ装置１０の上面に圧接される。また、下部ヒートシンク６３０と一体のカムピン６７１は、第２のカム溝６６３にガイドされて押し上げられ、受熱部６６８がアダプタ装置１０の下面に押し付けられる。このとき、下部ヒートシンク６３０がコイルバネ６６５によってメディア収納部６４７側に付勢されているため、そのコイルバネ６６５のバネ力によって受熱部６６８の表面がアダプタ装置１０の下面に圧接される。また、上述のように、また、アダプタ装置１０のカバーはメディアカードに圧接されている。このため、メディアカードで生じた熱を、効率よくアダプタ装置１０の上面を介して上部ヒートシンク６２８によって確実に外部に放出することができ、効率よくアダプタ装置１０の下面を介して下部ヒートシンク６３０によって確実に外部に放出することができる。
【０１１４】
なお、メディア収納部６４７に収納されているアダプタ装置１０を取り出す場合は、イジェクトリンクユニット６３３のイジェクトロッド６７５を押圧する。イジェクトロッド６７５を押圧すると、その力が連結リンク６７７を介して回動リンク６７８に伝達されて、スライダ６２６に設けた押圧片６４９がアダプタ装置１０を前方に押圧して、アダプタ装置１０が所定位置まで押し出される。その結果、アダプタ装置１０の一部が挿入口から突出され、アダプタ装置１０を掴むことができる状態となる。そこで、アダプタ装置１０の突出部を掴んで引き出すことにより、アダプタ装置１０を記録再生装置６０から取り出すことができる。
【０１１５】
なお、記録再生装置６０は、排気ファン６２４を駆動して外装ケース６２の内部に外気を通過させることにより、アダプタ装置１０や上部ヒートシンク６２８と下部ヒートシンク６３０を強制的に冷却させることができる。また、記録再生装置は、上述の構成に限定されるものではなく、上部のヒートシンクのみとしてもよく、また、下部のヒートシンクのみとする構成とすることもできる。また、上下のヒートシンクにおいて、放熱フィンを直線状に形成したが、曲線状またはジグザク状に形成することもできる。
【０１１６】
＜５．アダプタ装置を用いた他の電子機器＞
図２４は、アダプタ装置を用いた他の電子機器、例えば業務用ビデオカメラのカメラ本体部背面側に着脱可能に取り付けられる記録再生装置の外観を例示した斜視図である。
【０１１７】
記録再生装置７０は、取付台７１、筐体７２、取付台７１を筐体７２に取り付けたときにカメラ本体側の開口部分を覆うカバー部７３を備えている。
【０１１８】
取付台７１は、カメラ本体側の取付面と対向する取付面７１ａに、カメラ本体部と係止される係止部７１１を有している。係止部７１１は、例えばカメラ本体部に設けられている係止凹部に係止されるフック部７１１ｆを有しており、取付台７１の両側端部の上下に所定の間隔を隔てて取付面７１ａから前方に突出して設けられている。また、取付台７１は、筐体７２に設けられているコネクタ挿入ガイド７２２が挿通される挿通孔７１２が設けられている。
【０１１９】
筐体７２には、コネクタ７２１と、コネクタ７２１の位置を基準としてコネクタ７２１よりもコネクタ挿入方向に突出したコネクタ挿入ガイド７２２が枠状に設けられている。また、筐体７２には、カバー部７３がねじ等によって固定される。さらに、筐体７２とカバー部７３によって、取付台７１が、取付台７１の挿通孔７１２にコネクタ挿入ガイド７２２を挿通させて、コネクタ挿脱方向に移動可能に保持される。さらに、筐体７２には、操作レバー７５に加えられた操作方向の動きを、取付台７１に対して筐体７２のコネクタ挿脱方向の動きに変換する動き方向変換部が収納されている。また、筐体７２には、コネクタ７２１の端子と筐体７２に挿脱可能に設けられるメディアカードやアダプタ装置等とを接続するための接続ケーブルや接続基板、コネクタ等が設けられる。
【０１２０】
筐体７２の内部には、操作レバー７５に加えられた操作方向の動きを取付台７１に対して筐体７２のコネクタ挿脱方向の動きに変換するスライダ（図示せず）が設けられている。スライダには、カメラ本体部と係止される係止部７４１が形成されている。係止部７４１は、例えばカメラ本体部に設けられている係止凹部に係止されるフック部７４１ｆを有しており、スライダの両側端部の上下に所定の間隔を隔てて前方に突出して設けられている。
【０１２１】
スライダは、取付台７１の取付面７１ａに対して平行に操作レバー７５を例えば起立状態から倒伏状態に操作したとき、取付台７１に対して筐体７２をコネクタ挿入方向に移動させる。また、スライダは、取付面７１ａよりも係止部７４１を突出させて、さらに係止部７４１のフック部７４１ｆを係止部７１１のフック部７１１ｆから離れる方向に移動する。したがって、記録再生装置のコネクタ７２１をカメラ本体部のコネクタと接続できる。また、係止部７１１のフック部７１１ｆと係止部７４１のフック部７４１ｆが離れる方向に移動して、それぞれがカメラ本体部に設けられている係止凹部に係止されて、記録再生装置はカメラ本体部に固定される。
【０１２２】
また、スライダは、操作レバー７５を例えば倒伏状態から起立状態に操作したとき、取付台７１に対して筐体７２をコネクタ抜脱方向に移動させる。また、スライダは、係止部７４１のフック部７４１ｆを係止部７１１のフック部７１１ｆに近づく方向に移動する。さらに、スライダは、係止部７４１が取付面７１ａから突出していないように係止部７４１を収納する。したがって、記録再生装置のコネクタ７２１とカメラ本体部のコネクタとの接続を解除できる。また、係止部７１１のフック部７１１ｆと係止部７４１のフック部７４１ｆが近づくように移動されるので、カメラ本体部に設けられている係止凹部との係止状態が解除されて、カメラ本体部から記録再生装置を離脱することが可能となる。
【０１２３】
筐体７２の上面には記録媒体挿入部７６が設けられている。記録媒体挿入部７６には挿入口（図示せず）と挿入口を覆う挿入口開閉蓋７６１が設けられている。挿入口開閉蓋７６１には操作レバー７６２が設けられており、操作レバー７６２によって例えば挿入口開閉蓋７６１を閉状態で固定することが可能とされている。メディアカード、またはアダプタ装置１０を介して物理的仕様の異なるメディアカードを用いる場合、挿入口開閉蓋７３１を開状態として、挿入口にメディアカードやアダプタ装置を挿入する。また、挿入口開閉蓋７３１を閉状態として、メディアカードやアダプタ装置に挿入されているメディアカードを用いた信号の記録や再生を行う。
【０１２４】
図２５は、アダプタ装置と記録再生装置の記録媒体挿入部とコネクタを示している。記録媒体挿入部７６は、記録媒体挿入ベース７６３に挿入口７６４が設けられている。また、挿入口７６４から挿入された例えばアダプタ装置１０の両側には、挿入されたアダプタ装置１０が容易に抜き出してしまうことのないように、アダプタ装置１０の係止凸部２０２と係止する係止部７６５が設けられている。なお、図２５では、係止部７６５として挿入口７６４の側壁を利用した場合を示しており、側壁の端部に係止凸部２０２が係止される。
【０１２５】
カード受部７７は、コネクタベース７７１に一対のガイド７７２とコネクタ７７３が設けられている。一対のガイド７７２は、挿入されたアダプタ装置１０の外部コネクタ１８２がカード受部７７のコネクタ７７３と正しく接するようにアダプタ装置１０の位置を規制する。
【０１２６】
図２６は、アダプタ装置の挿脱動作を模式化して示している。アダプタ装置１０のアダプタ保持部２０Ｒ，２０Ｌは、コイルバネ２１Ｒ，２１Ｌによって、係止凸部２０２がサブフレーム１９の側面よりも外側に突出するように付勢される。したがって、アダプタ装置１０が記録媒体挿入部から挿入される場合、図２６の（Ａ）に示すように、アダプタ装置１０が矢印ＭＡに移動すると、係止部７６５を係止凸部２０２の傾斜面が摺動する。したがって、可動体２０１は、コイルバネ２１Ｒ，２１Ｌのバネ力に抗して、付勢力の方向とは逆方向である矢印ＭＢ方向に移動する。
【０１２７】
アダプタ装置１０が記録再生装置７０と電気的かつ物理的に接続される所定位置まで挿入されると、係止凸部２０２は、係止部７６５の位置を通過して、図２６の（Ｂ）に示すように、サブフレーム１９の側面よりも外側に突出した位置に戻り、係止部７６５に係止された状態となる。
【０１２８】
ここで、アダプタ装置１０を記録再生装置７０から取り出す場合の抜去力を、アダプタ抜去力とする。すなわち係止部７６５を係止凸部２０２の傾斜面が摺動して、可動体２０１がコイルバネ２１Ｒ，２１Ｌのバネ力に抗して付勢力の方向とは逆方向に移動させる力をアダプタ抜去力とする。また、メディアカード４０をアダプタ装置１０から取り出す場合の抜去力をカード抜去力とする。
【０１２９】
アダプタ装置１０では、例えばカード抜去力よりもアダプタ抜去力が大きくなるように、係止凸部２０２や係止部７６５の形状およびコイルバネ２１Ｒ，２１Ｌのバネ力を設定する。このように抜去力を設定すれば、図２６の（Ｃ）に示すように、メディアカード４０に抜脱方向（矢印ＭＣ方向）に力を加えても、アダプタ装置１０は記録再生装置７０に装着された状態が保持されて、メディアカード４０のみ取り出すことができる。
【０１３０】
アダプタ装置１０を記録再生装置７０から取り出す場合、アダプタ装置１０には、アダプタ抜去力以上の力を、図２６の（Ｄ）に示すように抜脱方向（矢印ＭＣ方向）に加える。このような力を加えると、係止部７６５を係止凸部２０２の傾斜面が摺動して、可動体２０１は、コイルバネ２１Ｒ，２１Ｌのバネ力に抗して付勢力の方向とは逆方向である矢印ＭＢ方向に移動する。したがって、係止凸部２０２と係止部７６５との係止状態が解除されて、アダプタ装置１０を記録再生装置７０から取り出すことができる。
【０１３１】
なお、上述の記録再生装置６０では、開閉蓋６１０の閉鎖動作を利用して、上部ヒートシンク６２８と下部ヒートシンク６３０をアダプタ装置１０に圧接する構成を例示している。しかし、記録再生装置７０では、操作レバー７５の操作を利用して、アダプタ装置にヒートシンクを圧接してもよい。すなわち、操作レバー７５を起立状態から倒伏状態に操作すると、筐体７２は取付台７１の方向に移動することから、筐体７２の移動を利用してヒートシンクをアダプタ装置１０に圧接するようにしてもよい。
【０１３２】
さらに、上述の記録再生装置は、メディアカードやアダプタ装置にヒートシンクを圧接して、メディアカードやアダプタ装置で生じた熱をヒートシンクから外部に放出する場合を例示したが、放熱機構は上述の構成に限られない。例えば、メディアカードはアダプタ装置のカバーに圧接されていることから雪と近接する位置にヒートシンクを固定して配置してもよい。この場合、熱伝導率はメディアカードやアダプタ装置にヒートシンクが圧接している状態よりも低下する。したがって、熱伝導率が低下しても、記録再生装置に挿入されるメディアカードやアダプタ装置に挿入されているメディアカードの温度が所望の温度（例えば動作保証温度）以下に抑えることが可能となる近接した位置に、ヒートシンクを固定して配置する構成とする。
【０１３３】
なお、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、特許請求の範囲を参酌すべきである。また、上述した効果は例示であって、本技術の効果は上述した効果に限られない。
【０１３４】
なお、本技術のアダプタ装置は以下のような構成も取ることができる。
（１）  挿入された記録媒体を覆うカバーと、
前記カバーを前記記録媒体の方向に付勢して、前記カバーを前記記録媒体に圧接させるカバー付勢部と
前記記録媒体の端子部を物理的仕様の異なる機器側のコネクタに接続するためのコネクタ変換部と
を備えるアダプタ装置。
（２）  前記カバーは、前記記録媒体の一方の面を覆う第１のカバーと前記一方の面と対向する前記記録媒体の他方の面を覆う第２のカバーを備え、
前記カバー付勢部は、前記第１のカバーと前記第２のカバーを、カバー間に挿入された前記記録媒体を挟持する方向に付勢する（１）に記載のアダプタ装置。
（３）  前記カバーの前記記録媒体挿入側端部に、カバー面を前記記録媒体側とは逆方向に突出させた挿入ガイドを設けた（１）または（２）に記載のアダプタ装置。
（４）  前記コネクタ変換部は、前記記録媒体の表裏面面に対して鉛直方向に移動可能に設けた（１）乃至（３）の何れかに記載のアダプタ装置。
（５）  前記カバーの前記記録媒体側の面に、シート状保護部材を設けた（１）乃至（４）の何れかに記載のアダプタ装置。
（６）  前記カバー付勢部の設置位置では、前記記録媒体の挿入位置に対して前記第１のカバーと前記第２のカバーの位置の入れ替えを行い、
前記カバー付勢部は、前記第１のカバーと前記第２のカバーの間隔が広くなるように付勢することで、前記第１のカバーと前記第２のカバーを前記記録媒体の方向に付勢する（２）乃至（５）の何れかに記載のアダプタ装置。
（７）  前記付勢の方向に対して逆方向の前記カバーの移動を所定量に規制する規制部を設けた（１）乃至（６）の何れかに記載のアダプタ装置。
（８）  前記規制部は前記カバー付勢部に形成した（７）に記載のアダプタ装置。
（９）  当該アダプタ装置の側端から突出するように付勢された係止部を設けた（１）乃至（８）の何れかに記載のアダプタ装置。
【産業上の利用可能性】
【０１３５】
この技術のアダプタ装置および電子機器では、挿入された記録媒体を覆うカバーと、カバーを記録媒体の方向に付勢して、カバーを記録媒体に圧接させるカバー付勢部と記録媒体の端子部を物理的仕様の異なる機器側のコネクタに接続するためのコネクタ変換部が設けられる。したがって、アダプタ装置に挿入された記録媒体で生じた熱を効率良くカバーに伝えること等が可能となる。したがって、映像データや音声データ、種々の情報データ等が記録されるカード状記録媒体を用いるアダプタ装置や、このアダプタ装置を用いる電子機器に適している。
【符号の説明】
【０１３６】
１０・・・アダプタ装置、１１，１３・・・カバー、１２，１４・・・シート状保護部材、１５Ｒ，１５Ｌ・・・板バネ、１６・・・フレーム、１７Ｒ，１７Ｌ・・・導電板、１８・・・コネクタ変換部、１９・・・サブフレーム、２０Ｒ，２０Ｌ・・・アダプタ保持部、２１Ｒ，２１Ｌ・・・コイルバネ、３１・・・係止部、４０・・・メディアカード、５０・・・ビデオカメラ、６０，７０・・・記録再生装置、１１１，１１３・・・カード対向面、１１２・・・挿入ガイド、１１３Ｒ，１１３Ｌ・・・フレームガイド、１１６Ｒ，１１６Ｌ・・・支持部、１２２・・・挿入ガイド保護部、１３１・・・カード対向面、１３２・・・挿入ガイド、１３３Ｒ，１３３Ｌ・・・側板部、１３４Ｒ，１３４Ｌ・・・支持部、１３６・・・支持孔、１４２・・・挿入ガイド保護部、１５１・・・載置部、１５２・・・係止片、１５３・・・係止爪、１５４・・・アーム部、１５５・・・規制部、１６１・・・ベース部、１６３・・・カバー支持部、１６３１・・・導電板取付部、１６３２，１６３３・・・切れ込み、１６３Ｒ，１６３Ｌ・・・カバー支持部、１６４・・・軸孔、１６５Ｒ，１６５Ｌ，１８５Ｒ，１８５Ｌ・・・ガイド部、１６６・・・係止凹部、１７２，１７４・・・接触子、１８０・・・ベース部、１８１・・・内部コネクタ、１８２・・・外部コネクタ、１８４・・・支持軸、１８５Ｒ，１８５Ｌ・・・ガイド部、１９１・・・ベース部、１９２・・・カード挿入口、１９３Ｒ，１９３Ｌ・・・収納部、１９４・・・バネ保持部、１９５・・・可動体保持部、１９６Ｒ，１９６Ｌ・・・サブフレーム係止部、１９６ｆ・・・フック部、２０１・・・可動体、２０２・・・係止凸部、２０３・・・保持孔、４０１・・・筐体、４０１ａ，４０１ｂ・・・両カバー、４０２・・・端子部
【図１】
2015022323.tif 000003
【図２】
2015022323.tif 000004
【図３】
2015022323.tif 000005
【図４】
2015022323.tif 000006
【図５】
2015022323.tif 000007
【図６】
2015022323.tif 000008
【図７】
2015022323.tif 000009
【図８】
2015022323.tif 000010
【図９】
2015022323.tif 000011
【図１０】
2015022323.tif 000012
【図１１】
2015022323.tif 000013
【図１２】
2015022323.tif 000014
【図１３】
2015022323.tif 000015
【図１４】
2015022323.tif 000016
【図１５】
2015022323.tif 000017
【図１６】
2015022323.tif 000018
【図１７】
2015022323.tif 000019
【図１８】
2015022323.tif 000020
【図１９】
2015022323.tif 000021
【図２０】
2015022323.tif 000022
【図２１】
2015022323.tif 000023
【図２２】
2015022323.tif 000024
【図２３】
2015022323.tif 000025
【図２４】
2015022323.tif 000026
【図２５】
2015022323.tif 000027
【図２６】
2015022323.tif 000028